(57)【要約】【課題】端子台の作業スペースを十分に確保でき、外観上のデザインも向上できる電子機器収納用筐体。【解決手段】ケース１１と、開閉動作により開閉するカバー１２とを有し、カバーにケースに接する側にカバー防水リブ１２ａが形成され、カバー表壁面１２ｂの内のケースとの境界部分にカバー回転軸１２ｃが形成され、カバー回転軸の左右両側面にはカバー回転軸用凸部１２ｄが形成され、カバー回転軸の略中央部にカバー固定用凸部１２ｅが形成され、カバー表壁面のカバー回転軸より下方にカバー段差部１２ｆが形成され、ケース表壁面にカバー回転軸を収納するケース回転軸収納部１１ｂが形成され、ケース回転軸収納部の左右両側面内側にカバー回転軸用凸部を収納するケース回転軸用凹部１１ｃが形成され、ケースにカバー固定用凸部に嵌合し且つカバー防水リブを収納するケース防水リブ収納部１１ｄが形成されている。【選択図】図１
2020102572.tif 000002
【特許請求の範囲】
【請求項１】
ケースと、開閉動作により開閉するカバーとを有し、
前記カバーに前記ケースに接する側にカバー防水リブが形成され、カバー表壁面の内の前記ケースとの境界部分にカバー回転軸が形成され、前記カバー回転軸の左右両側面にはカバー回転軸用凸部が形成され、前記カバー回転軸の略中央部にカバー固定用凸部が形成され、前記カバー表壁面の前記カバー回転軸より下方にカバー段差部が形成され、
ケース表壁面に前記カバー回転軸を収納するケース回転軸収納部が形成され、前記ケース回転軸収納部の左右両側面内側に前記カバー回転軸用凸部を収納するケース回転軸用凹部が形成され、前記ケースには前記カバー固定用凸部に嵌合し且つ前記カバー防水リブを収納するケース防水リブ収納部が形成されていることを特徴とする電子機器収納用筐体。
【請求項２】
ケースと、開閉動作により開閉するカバーとを有し、
前記カバーに前記ケースに接する側にカバー防水リブが形成され、カバー表壁面の内の前記ケースとの境界部分にカバー回転軸が形成され、前記カバー回転軸の左右両側面にはカバー回転軸用凸部が形成され、前記カバー表壁面の前記カバー回転軸より下方においてカバー段差部が形成され、
ケース表壁面下端の付近で且つケース左右内壁面に前記カバー回転軸用凸部と嵌合するケース回転軸用凹部が形成され、前記ケース内に前記カバー防水リブを収納するケース防水リブ収納部が形成され、前記カバー回転軸と前記カバー表壁面との間に前記ケース表壁面下端を収納するためのカバー表壁面下端収納部が形成されていることを特徴とする電子機器収納用筐体。
【請求項３】
ケースと、開閉動作により開閉するカバーとを有し、
前記カバーに前記ケースに接する側にカバー防水リブが形成され、前記カバー防水リブとカバー表壁面とが平坦に形成され、前記カバー防水リブ付近で且つ前記カバーの左右両側面にカバー回転軸用穴部を有するカバー回転軸部が形成され、前記カバー回転軸部と前記カバー防水リブとの間にはカバー隙間が設けられ、
ケース表壁面の左右両側面角部に、前記カバー回転軸部を収納するケース回転軸収納部と、前記カバー回転軸用穴部と嵌合するケース回転軸用凸部と、前記カバー固定用凸部と嵌合するケース固定用凹部と、前記カバー隙間に対応して設けられたケース隙間壁が形成されていることを特徴とする電子機器収納用筐体。
【請求項４】
ケースと、開閉動作により開閉するカバーとを有し、
前記ケースには、ケース左右側面に全周が壁で閉じられた縦長のケース回転軸用凹部と、ケース下端の壁が開いたケース固定用凹部開放部を有する縦長のケース固定用凹部が形成され、
前記カバーは、本体部と本体部の左右に形成された左右側面部とで略Ｕ字状をなし、前記本体部にカバー防水リブが形成され、前記左右側面部に前記ケース回転軸用凹部と前記ケース固定用凹部とを覆うようにカバー回転軸部が形成され、前記カバー回転軸部の内側に前記ケース回転軸用凹部に収まるカバー回転軸用凸部と、前記ケース固定用凹部に収まるカバー固定用凸部が形成され、
前記カバーを開くとき、前記カバーが前記ケースに対して下方にスライドしてから回転することを特徴とする電子機器収納用筐体。
【請求項５】
ケースと、開閉動作により開閉するカバーとを有し、
前記ケースの両側面にケース回転軸用凹部が形成され、ケース表壁面の内側にケース防水用空間部とケース防水リブが形成され、
前記カバーの左右両側面に前記ケース回転軸用凹部を覆うカバー回転軸部が形成され、前記カバー回転軸部の内側に前記ケース回転軸用凹部と嵌合するカバー回転軸用凸部が形成され、カバー表壁面内側に前記ケース防水用空間部と対向配置されたカバー防水用空間部と前記ケース防水リブと対向配置されたカバー防水リブが形成され、前記カバー防水用空間部は、底面の中央から左右両側面方向及び側面方向において上方から下方に向けて傾斜していることを特徴とする電子機器収納用筐体。
【請求項６】
前記カバーの下端にカバー爪部が形成され、前記ケースに、左右両側面が切り欠かれたケーススナップフィット固定部が形成され、前記ケーススナップフィット固定部に前記カバー爪部と嵌合するケースカバー爪部嵌合部が形成されていることを特徴とする請求項１乃至５のいずれか１項記載の電子機器収納用筐体。
【請求項７】
前記カバーの下端にカバー爪部が形成され、前記ケースに、左右両側面が切り欠かれたケーススナップフィット固定部が形成され、前記ケーススナップフィット固定部に前記カバー爪部と嵌合するケースカバー爪部嵌合部が形成され、
前記カバーの左右両側面にカバーガイド部が形成され、前記ケースに前記カバーガイド部がスライドするためのケースガイド保持部が形成され、前記カバーを閉じるとき、前記カバーガイド部と前記ケースガイド保持部とが嵌合することを特徴とする請求項４記載の電子機器収納用筐体。
【請求項８】
前記カバー防水リブは、前記カバーの上端から下端まで延長され、前記カバー回転軸部と延長された前記カバー防水リブとの間にカバー防水用空間部が形成され、前記カバーの下端にカバー切り掛け部が形成されていることを特徴とする請求項３又は請求項４記載の電子機器収納用筐体。
【請求項９】
前記カバーの下端にカバー爪部が形成され、前記ケースに、左右両側面が切り欠かれたケーススナップフィット固定部が形成され、前記ケーススナップフィット固定部に前記カバー爪部と嵌合するケースカバー爪部嵌合部が形成され、
前記カバー防水リブは、前記カバーの上端から下端まで延長され、前記カバー回転軸部と延長された前記カバー防水リブとの間にカバー防水用空間部が形成され、前記カバーの下端にカバー切り掛け部が形成されていることを特徴とする請求項４記載の電子機器収納用筐体。
【発明の詳細な説明】
【技術分野】
【０００１】
本発明は、屋外に設置する電子機器を収納する電子機器収納用筐体に関する。
【背景技術】
【０００２】
図１６に従来の屋外設置電子機器収納用筐体を有する電子機器の斜視図を示す。図１７及び図１８に従来の屋外設置電子機器収納用筐体を有する電子機器の分解斜視図を示す。
【０００３】
屋外設置電子機器は、ケース１、カバー２、カバー取付ねじ３、端子台４、回路部５を有する。ケース１には、壁面へねじで固定するための壁面取付部１ａ、基板を固定するためのケース側基板取付部１ｂ、端子台４を固定するための端子台取付部１ｃ、カバー取付ねじ３を固定するためのカバー取付ねじ固定部１ｄが設けられている。
【０００４】
カバー２には、防水リブ２ａ、カバー取付ねじ３を貫通するための穴部２ｂ、配線７を外に引き出すための配線通し部２ｃが設けられている。端子台４には、端子台引っ掛け部４ａ、回路部５の端子金具を通す穴部４ｂ、スイッチを通す穴部４ｃ、点灯部を通す穴部４ｄ、基板を固定するための端子台側基板取付部４ｅが設けられている。回路部５は、外部機器への配線７を接続するための端子金具５ａ、端子ねじ５ｂ、機能を操作するために必要なスイッチ５ｃ、ＬＥＤ等の点灯部５ｄまたは表示部としてＬＣＤで構成され、様々な機能（無線機能、データ収集機能、表示機能、計測機能等）を有している。
【０００５】
また、ケース１と端子台４が嵌合したときに、カバー２の防水リブ２ａを収納する空間として防水リブ収納部６が形成されている（図１６（ｃ））。これらの部品で構成される屋外設置電子機器の組立は、端子台４の端子台側基板取付部４ｅに回路部下部５ｆが嵌合するとともに、端子金具５ａと端子ねじ５ｂが端子金具５ａを通す穴部４ｂを通り、スイッチ５ｃがスイッチを通す穴部４ｃを通り、点灯部５ｄが点灯部５ｄを通す穴部４ｄを通る。
【０００６】
次に、ケース１のケース側基板取付部１ｂに回路部上部５ｅが嵌合するとともに、端子台４の端子台引っ掛け部４ａがケース１の端子台取付部１ｃに嵌合し、次に、カバー２の防水リブ２ａが防水リブ収納部６に収まるように配置する。
【０００７】
カバー取付ねじ３をカバー２の穴部２ｂを通してケース１のカバー取付ねじ固定部１ｄに固定することで屋外設置電子機器が完成する。なお、ケース１、カバー２、端子台４の材料は、樹脂（ポリカーボネート等）、カバー取付ねじ３の材料は、金属（鉄、ステンレス等）が主に利用されている。
【０００８】
屋外設置電子機器取付時の配線接続作業においては、カバー２を手で押さえながらカバー取付ねじ３をドライバーで緩めてカバー取付ねじ３をカバー取付けねじ固定部１ｄから外した後、カバー２を下方に下げて防水リブ２ａを防水リブ収納部６から外すことでカバー２を取り外す。そして、端子ねじ５ｂをドライバーで緩めて配線７を引き回し、端子ねじ５ｂをドライバーで締めて配線７を接続し、スイッチ５ｃの操作を行い、点灯部５ｄの点灯を確認する。全ての操作が完了した後、カバー２を元の場所に手で押さえながらカバー取付ねじ３をドライバーで締めて取り付ける作業が必要である。
【０００９】
また、従来の技術として、カバーとベース（ケース）間に隙間を設けて、毛細管現象により留まった水が防水シール作用する電子機器収納用筐体（特許文献１）、下カバーの複数段部が上カバー裏面に密着して防水性を高める電子機器収納用筐体（特許文献２）、下カバーの複数段部が上カバー裏面の複数段部に嵌合して防水性を高める電子機器収納用筐体（特許文献３）が知られている。
【先行技術文献】
【特許文献】
【００１０】
【特許文献１】実用新案登録第２５４４５９９号公報
【特許文献２】特許第３６８１７６７号公報
【特許文献３】特許第４３１９４８５号公報
【発明の概要】
【発明が解決しようとする課題】
【００１１】
しかしながら、カバーの取り外しおよび取り付け時において、カバーを一方の手で押さえながら他方の手でドライバーを使用する必要がある。この場合、両手作業のため、カバーを落として破損させる可能性がある。
【００１２】
また、カバーをヒンジ構造で開くものが考えられているが、特許文献１では、全面が開く構造である。このため、回路部を開放することでイタズラされる可能性があるため、実用的ではない。
【００１３】
特許文献２、３では、外ケースが、ケース、上部カバー、下部カバーとの３部品で構成されるため、部品点数が多くなり、コストアップとなる。また、カバーを開いたときに、端子台の作業スペースを確保する必要があるが、カバー内部でのヒンジ構造は、作業の邪魔になる可能性がある。
【００１４】
また、防水リブは、ある程度の長さが必要であるため、単純なヒンジ構造にすると、奥行き方向に形状が大きくなるため、外観上のデザイン性の悪化と材料増加によるコストアップが懸念される。
【００１５】
本発明の課題は、端子台の作業スペースを十分に確保でき、外観上のデザインも向上できる電子機器収納用筐体を提供する。
【課題を解決するための手段】
【００１６】
上記課題を解決するために、本発明に係る請求項１の電子機器収納用筐体は、ケースと、開閉動作により開閉するカバーとを有し、前記カバーに前記ケースに接する側にカバー防水リブが形成され、カバー表壁面の内の前記ケースとの境界部分にカバー回転軸が形成され、前記カバー回転軸の左右両側面にカバー回転軸用凸部が形成され、前記カバー回転軸の略中央部にカバー固定用凸部が形成され、前記カバー表壁面の前記カバー回転軸より下方にカバー段差部が形成され、ケース表壁面に前記カバー回転軸を収納するケース回転軸収納部が形成され、前記ケース回転軸収納部の左右両側面内側に前記カバー回転軸用凸部を収納するケース回転軸用凹部が形成され、前記ケースに前記カバー固定用凸部に嵌合し且つ前記カバー防水リブを収納するケース防水リブ収納部が形成されていることを特徴とする。
【００１７】
請求項２の電子機器収納用筐体は、ケースと、開閉動作により開閉するカバーとを有し、前記カバーに前記ケースに接する側にカバー防水リブが形成され、カバー表壁面の内の前記ケースとの境界部分にカバー回転軸が形成され、前記カバー回転軸の左右両側面にカバー回転軸用凸部が形成され、前記カバー表壁面の前記カバー回転軸より下方においてカバー段差部が形成され、ケース表壁面下端の付近で且つケース左右内壁面に前記カバー回転軸用凸部と嵌合するケース回転軸用凹部が形成され、前記ケース内に前記カバー防水リブを収納するケース防水リブ収納部が形成され、前記カバー回転軸と前記カバー表壁面との間に前記ケース表壁面下端を収納するためのカバー表壁面下端収納部が形成されていることを特徴とする。
【００１８】
請求項３の電子機器収納用筐体は、ケースと、開閉動作により開閉するカバーとを有し、前記カバーに前記ケースに接する側にカバー防水リブが形成され、前記カバー防水リブとカバー表壁面とが平坦に形成され、前記カバー防水リブ付近で且つ前記カバーの左右両側面にカバー回転軸用穴部を有するカバー回転軸部が形成され、前記カバー回転軸部と前記カバー防水リブとの間にはカバー隙間が設けられ、ケース表壁面の左右両側面角部に、前記カバー回転軸部を収納するケース回転軸収納部と、前記カバー回転軸用穴部と嵌合するケース回転軸用凸部と、前記カバー固定用凸部と嵌合するケース固定用凹部と、ケース隙間壁が形成されていることを特徴とする。
【００１９】
請求項４の電子機器収納用筐体は、ケースと、開閉動作により開閉するカバーとを有し、前記ケースには、ケース左右側面に全周が壁で閉じられた縦長のケース回転軸用凹部と、ケース下端の壁が開いたケース固定用凹部開放部を有する縦長のケース固定用凹部が形成され、前記カバーは、本体部と本体部の左右に形成された左右側面部とで略Ｕ字状をなし、前記本体部にカバー防水リブが形成され、前記左右側面部に前記ケース回転軸用凹部と前記ケース固定用凹部とを覆うようにカバー回転軸部が形成され、前記カバー回転軸部の内側に前記ケース回転軸用凹部に収まるカバー回転軸用凸部と、前記ケース固定用凹部に収まるカバー固定用凸部が形成され、前記カバーを開くとき、前記カバーが前記ケースに対して下方にスライドすることを特徴とする。
【００２０】
請求項５の電子機器収納用筐体は、ケースと、開閉動作により開閉するカバーとを有し、前記ケースの両側面にケース回転軸用凹部が形成され、ケース表壁面の内側にケース防水用空間部とケース防水リブが形成され、前記カバーの左右両側面に前記ケース回転軸用凹部を覆うカバー回転軸部が形成され、前記カバー回転軸部の内側に前記ケース回転軸用凹部と嵌合するカバー回転軸用凸部が形成され、カバー表壁面内側に前記ケース防水用空間部と対向配置されたカバー防水用空間部と前記ケース防水リブと対向配置されたカバー防水リブが形成され、前記カバー防水用空間部は、底面の中央から左右両側面方向及び側面方向において上方から下方に向けて傾斜していることを特徴とする。
【００２１】
請求項６の電子機器収納用筐体は、請求項１乃至５のいずれか１項記載の電子機器収納用筐体において、前記カバーの下端にカバー爪部が形成され、前記ケースに、左右両側面が切り欠かれたケーススナップフィット固定部が形成され、前記ケーススナップフィット固定部に前記カバー爪部と嵌合するケースカバー爪部嵌合部が形成されていることを特徴とする。
【００２２】
請求項７の電子機器収納用筐体は、請求項４記載の電子機器収納用筐体において、前記カバーの下端にカバー爪部が形成され、前記ケースに、左右両側面が切り欠かれたケーススナップフィット固定部が形成され、前記ケーススナップフィット固定部に前記カバー爪部と嵌合するケースカバー爪部嵌合部が形成され、前記カバーの左右両側面にカバーガイド部が形成され、前記ケースに前記カバーガイド部がスライドするためのケースガイド保持部が形成され、前記カバーを閉じるとき、前記カバーガイド部と前記ケースガイド保持部とが嵌合することを特徴とする。
【００２３】
請求項８の電子機器収納用筐体は、請求項３又は請求項４記載の電子機器収納用筐体において、前記カバー防水リブは、前記カバーの上端から下端まで延長され、前記カバー回転軸部と延長された前記カバー防水リブとの間にカバー防水用空間部が形成され、前記カバーの下端にカバー切り掛け部が形成されていることを特徴とする。
【００２４】
請求項９の電子機器収納用筐体は、請求項４記載の電子機器収納用筐体において、前記カバーの下端にカバー爪部が形成され、前記ケースに、左右両側面が切り欠かれたケーススナップフィット固定部が形成され、前記ケーススナップフィット固定部に前記カバー爪部と嵌合するケースカバー爪部嵌合部が形成され、前記カバー防水リブは、前記カバーの上端から下端まで延長され、前記カバー回転軸部と延長された前記カバー防水リブとの間にカバー防水用空間部が形成され、前記カバーの下端にカバー切り掛け部が形成されていることを特徴とする。
【発明の効果】
【００２５】
請求項１の発明によれば、防水性のあるカバーをケースから取り外すことなく回転動作で開閉でき、カバーを開いた状態でケースに固定できる。このため、カバーをどこかに置く必要もなく、端子台の作業スペースを十分確保できるので、施工性を向上することができる。また、カバー回転軸が表面から突出しないため、破損し難く、外観上のデザインも向上できる。
【００２６】
請求項２の発明によれば、カバー回転軸がケースで覆われているため、さらに、防水性を向上できる。
【００２７】
請求項３の発明によれば、カバー回転軸がカバー防水リブから分離され、ケース表壁面がカバー防水リブをより多く覆うので、防水性をさらに高めることができる。また、奥行き方向のサイズを小さくすることができる。
【００２８】
請求項４の発明によれば、さらにカバー防水リブの長さをカバーがスライドできる分だけ長くできるので、さらに防水性を高めることができ、回転による防水リブの長さ分だけ奥行き方向のサイズを小さくすることができる。
【００２９】
請求項５の発明によれば、さらにカバー内部のカバー防水用空間部を広げることで防水性を高めることができる。
【００３０】
請求項６、７の発明によれば、カバー取付ねじが不要となることでコストダウンでき、また、カバーを開閉する時間を短縮できるため、施工性を向上することができる。
【００３１】
請求項８、９の発明によれば、カバー回転軸部とケース側面の間に浸入した水滴を、カバー防水用空間部を通して下端のカバー切り掛け部に導き、排水することができるため、防水性を向上することができる。
【図面の簡単な説明】
【００３２】
【図１】本発明の第１の実施形態の電子機器収納用筐体を示す斜視図及び断面図である。
【図２】本発明の第１の実施形態の電子機器収納用筐体を示す斜視図である。
【図３】本発明の第２の実施形態の電子機器収納用筐体を示す斜視図及び断面図である。
【図４】本発明の第２の実施形態の電子機器収納用筐体を示す斜視図である。
【図５】本発明の第３の実施形態の電子機器収納用筐体を示す斜視図及び断面図である。
【図６】本発明の第３の実施形態の電子機器収納用筐体を示す斜視図である。
【図７】本発明の第４の実施形態の電子機器収納用筐体を示す斜視図及び断面図である。
【図８】本発明の第４の実施形態の電子機器収納用筐体を示す斜視図及び断面図である。
【図９】本発明の第５の実施形態の電子機器収納用筐体を示す斜視図及び断面図である。
【図１０】本発明の第５の実施形態の電子機器収納用筐体を示す斜視図である。
【図１１】本発明の第６の実施形態の電子機器収納用筐体を示す斜視図である。
【図１２】本発明の第７の実施形態の電子機器収納用筐体を示す斜視図である。
【図１３】本発明の第８の実施形態の電子機器収納用筐体を示す斜視図である。
【図１４】本発明の第８の実施形態の電子機器収納用筐体を示す斜視図である。
【図１５】本発明の第９の実施形態の電子機器収納用筐体を示す斜視図である。
【図１６】従来の屋外設置電子機器収納用筐体を有する電子機器の斜視図である。
【図１７】従来の屋外設置電子機器収納用筐体を有する電子機器の分解斜視図である。
【図１８】従来の屋外設置電子機器収納用筐体を有する電子機器の分解斜視図である。
【発明を実施するための形態】
【００３３】
以下、本発明の実施の形態に係る電子機器収納用筐体について、図面を参照しながら詳細に説明する。
【００３４】
（第１の実施形態）
図１（ａ）は第１の実施形態に係るカバー閉状態の電子機器収納用筐体を示す斜視図である。図１（ｂ）は第１の実施形態に係るカバー開状態の電子機器収納用筐体を示す斜視図である。図１（ｃ）は図１（ａ）に示す電子機器収納用筐体の断面図である。図１（ｄ）は図１（ｂ）に示す電子機器収納用筐体の断面図である。図２（ｅ）はケースの斜視図である。図２（ｆ）はカバーの斜視図である。
【００３５】
電子機器収納用筐体は、ケース１１とカバー１２とからなる。カバー１２は、図１（ａ）（ｂ）に示すように、開閉動作により開閉する。カバー１２には、図２（ｆ）に示すように、ケース１１に接する側にカバー防水リブ１２ａが形成され、カバー表壁面１２ｂの内のケース１１との境界部分には、半円筒状のカバー回転軸１２ｃが形成されている。カバー回転軸１２ｃは、カバー防水リブ１２ａに連結されている。
【００３６】
カバー回転軸１２ｃの左右両側面には、円筒形のカバー回転軸用凸部１２ｄが形成され、カバー回転軸１２ｃの略中央部にはカバー固定用凸部１２ｅが形成されている。また、カバー表壁面１２ｂのカバー回転軸１２ｃより下方において、ケース表壁面１１ａとカバー表壁面１２ｂとの段差であるカバー段差部１２ｆが形成されている。
【００３７】
ケース表壁面１１ａには、カバー回転軸１２ｃを収納するために切り欠かれたケース回転軸収納部１１ｂが形成されている。ケース回転軸収納部１１ｂの左右両側面内側には、カバー回転軸用凸部１２ｄを嵌合するための円筒形のケース回転軸用凹部１１ｃが形成されている。また、ケース１１には、カバー固定用凸部１２ｅに嵌合し且つカバー防水リブ１２ａを収納するケース防水リブ収納部１１ｄが形成されている。
【００３８】
次に、このように構成された第１の実施形態に係る電子機器収納用筐体の動作を説明する。まず、カバー回転軸用凸部１２ｄがケース回転軸用凹部１１ｃに嵌合して電子機器収納用筐体が組立てられる。カバー１２を開くとき、カバー防水リブ１２ａをケース防水リブ収納部１１ｄに挿入した状態から、カバー回転軸用凸部１２ｄを軸としてカバー１２を正面方向に回転させて開く。
【００３９】
カバー回転軸１２ｃがケース表壁面１１ａと同一面にあり、カバー段差部１２ｆがあることで、図１（ｄ）に示すように、ケース表壁面１１ａとカバー表壁面１２ｂとが相対する。これにより、端子台４での作業スペースを十分に確保することができる。さらに、カバー固定用凸部１２ｅがケース防水リブ収納部１１ｄに嵌合することで、カバー開状態を保持することができる。
【００４０】
このように、第１の実施形態に係る電子機器収納用筐体によれば、防水性のあるカバー１２をケース１１から取り外すことなく回転動作で開閉でき、カバー１２を開いた状態でケース１１に固定できる。このため、カバー１２をどこかに置く必要もなく、端子台４の作業スペースを十分確保できるので、施工性を向上することができる。また、カバー回転軸１２ｃが表面から突出しないため、破損し難く、外観上のデザインも向上できる。
【００４１】
（第２の実施形態）
図３（ａ）は第２の実施形態に係るカバー閉状態の電子機器収納用筐体を示す斜視図である。図３（ｂ）は第２の実施形態に係るカバー開状態の電子機器収納用筐体を示す斜視図である。図３（ｃ）は図３（ａ）に示す電子機器収納用筐体の断面図である。図３（ｄ）は図３（ｂ）に示す電子機器収納用筐体の断面図である。図４（ｅ）はケースの斜視図である。図４（ｆ）はカバーの斜視図である。
【００４２】
電子機器収納用筐体は、ケース１１Ａとカバー１２Ａとからなる。カバー１２Ａは、図３（ａ）（ｂ）に示すように、開閉動作により開閉する。カバー１２Ａには、図４（ｆ）に示すように、ケース１１Ａに接する側にはカバー防水リブ１２ａが形成され、カバー表壁面１２ｂの内のケース１１Ａとの境界部分には、半円筒状のカバー回転軸１２ｃが形成されている。
【００４３】
カバー回転軸１２ｃの左右両側面には、円筒形のカバー回転軸用凸部１２ｄが形成されている。また、カバー表壁面１２ｂのカバー回転軸１２ｃより下方においてカバー段差部１２ｆが設けられている。
【００４４】
ケース１１Ａのケース表壁面下端１１ｅの付近で且つケースの左右内壁面には、カバー回転軸用凸部１２ｄと嵌合する円筒形のケース回転軸用凹部１１ｃが形成されている。また、ケース１１Ａ内には、カバー防水リブ１２ａを収納するケース防水リブ収納部１１ｄが形成されている。カバー回転軸１２ｃとカバー表壁面１２ｂとの間に、ケース表壁面下端１１ｅを収納するためのカバー表壁面下端収納部１２ｇが形成されている。カバー回転軸１２ｃとカバー防水リブ１２ａとは、ケース表壁面下端１１ｅで覆われている。
【００４５】
また、図３（ｂ）に示すように、カバー１２Ａには、左右側面にカバー凹部１２ｈが形成され、ケース表壁面１１ａには、図４（ｅ）に示すように、ケース表壁面下端１１ｅの付近でケース左右両端にカバー凹部１２ｈと嵌合するためのケース固定用凸部１１ｆが形成されている。
【００４６】
次に、このように構成された第２の実施形態に係る電子機器収納用筐体の動作を説明する。まず、カバー回転軸用凸部１２ｄがケース回転軸用凹部１１ｃに嵌合して電子機器収納用筐体が組立てられる。
【００４７】
次に、カバー１２Ａを回転させて開くとき、カバー表壁面下端収納部１２ｇにケース表壁面下端１１ｅが収納される。これにより、カバーを閉じたときにおいて、ケース表壁面下端１１ｅがカバー回転軸１２ｃを覆うことで、第１の実施形態に係る電子機器収納用筐体よりも、さらに防水性を高めることができる。
【００４８】
また、図３（ｂ）に示すように、ケース固定用凸部１１ｆにカバー凹部１２ｈが嵌合することで、カバー１２Ａを開いた状態でケース１１Ａに固定できる。
【００４９】
（第３の実施形態）
図５（ａ）は第３の実施形態に係るカバー閉状態の電子機器収納用筐体を示す斜視図である。図５（ｂ）は第３の実施形態に係るカバー開状態の電子機器収納用筐体を示す斜視図である。図５（ｃ）は図５（ａ）に示す電子機器収納用筐体の断面図である。図５（ｄ）は図５（ｂ）に示す電子機器収納用筐体の断面図である。図６（ｅ）はケースの斜視図である。図６（ｆ）はカバーの斜視図である。
【００５０】
電子機器収納用筐体は、ケース１１Ｂとカバー１２Ｂとからなる。カバー１２Ｂは、図５（ａ）（ｂ）に示すように、開閉動作により開閉する。カバー１２Ｂには、図６（ｆ）に示すように、ケース１１Ｂに接する側にはカバー防水リブ１２ａが形成され、カバー防水リブ１２ａとカバー表壁面１２ｂとは、平坦に形成されている。カバー防水リブ１２ａ付近で且つカバー１２Ｂの左右両側面には円筒形のカバー回転軸用穴部１２ｉを有するカバー回転軸部１２ｊが形成されている。カバー回転軸部１２ｊとカバー防水リブ１２ａとの間にはカバー隙間１２ｋが設けられている。カバー回転軸部１２ｊには、カバー固定用凸部１２ｌが形成されている。
【００５１】
ケース表壁面１１ａの左右両側面角部には、カバー回転軸部１２ｊを収納するケース回転軸収納部１１ｂと、カバー回転軸用穴部１２ｉと嵌合するケース回転軸用凸部１１ｇと、カバー固定用凸部１２ｌと嵌合するケース固定用凹部１１ｈと、カバー隙間１２ｋに対応して設けられたケース隙間壁１１ｉが形成されている。
【００５２】
次に、このように構成された第３の実施形態に係る電子機器収納用筐体の動作を説明する。まず、カバー回転軸用穴部１２ｉがケース回転軸用凸部１１ｇに嵌合して電子機器収納用筐体が組立てられる。カバー１２Ｂを開くとき、ケース回転軸用凸部１１ｇを軸として、カバー回転軸部１２ｊが回転する。そして、ケース固定用凹部１１ｈにカバー固定用凸部１２ｌが嵌合することで、カバー１２Ｂを開いた状態でケース１１Ｂに固定できる。
【００５３】
カバー回転軸部１２ｊをカバー防水リブ１２ａから分離することにより、第１の実施形態に係る電子機器収納用筐体に比較して、ケース表壁面１１ａがカバー防水リブ１２ａをより多く覆うので、さらに、防水性を高めることができる。
【００５４】
また、第２の実施形態に係る電子機器収納用筐体に比べて、奥行き方向のサイズを短くすることができる。
【００５５】
（第４の実施形態）
図７（ａ）は第４の実施形態に係るカバー閉状態の電子機器収納用筐体を示す斜視図である。図７（ｂ）は第４の実施形態に係るカバーを下げた状態の電子機器収納用筐体を示す斜視図である。図７（ｃ）は第４の実施形態に係るカバーが開状態の電子機器収納用筐体を示す斜視図である。図７（ｄ）は図７（ａ）に示す電子機器収納用筐体の断面図である。図８（ｅ）は図７（ｂ）に示す電子機器収納用筐体の断面図である。図８（ｆ）は図７（ｃ）に示す電子機器収容用筐体の断面図である。図８（ｇ）はケースの斜視図である。図８（ｈ）はカバーの斜視図である。
【００５６】
電子機器収納用筐体は、ケース１１Ｃとカバー１２Ｃとからなる。カバー１２Ｃは、図７（ａ）に示すように略Ｕ字状をなし、図７（ｂ）に示すように、ケース１１Ｃに対して上下にスライド可能に形成されている。
【００５７】
ケース１１Ｃには、図８（ｇ）に示すように、ケース左右側面に全周が壁で閉じられた縦長のケース回転軸用凹部１１ｊと、ケース下端の壁が開いたケース固定用凹部開放部１１ｋを有する縦長のケース固定用凹部１１ｌが形成されている。
【００５８】
カバー１２Ｃは、本体部と本体部の左右に形成された左右側面部とからなり、本体部にはカバー防水リブ１２ｍが形成されている。カバー１２Ｃの左右側面部には、ケース回転軸用凹部１１ｊとケース固定用凹部１１ｌとを覆うようにカバー回転軸部１２ｎが形成され、カバー回転軸部１２ｎの内側には、ケース回転軸用凹部１１ｊに収まる円筒形のカバー回転軸用凸部１２ｏと、ケース固定用凹部１１ｌに収まるカバー固定用凸部１２ｐが形成されている。
【００５９】
次に、このように構成された第４の実施形態に係る電子機器収納用筐体の動作を説明する。まず、図７（ｄ）に示すように、カバー回転軸用凸部１２ｏがケース回転軸用凹部１１ｊに嵌合し、カバー固定用凸部１２ｐがケース固定用凹部１１ｌ内に収納されて、電子機器収納用筐体が組立てられる。
【００６０】
カバー１２Ｃを開くときは、第１段階として、カバー取付ねじ３を緩めて、図７（ｂ）、図８（ｅ）に示すように、カバー１２Ｃを下方にスライドさせ、カバー回転軸用凸部１２ｏがケース回転軸用凹部１１ｊの下端に留まる。
【００６１】
このとき、カバー固定用凸部１２ｐがケース固定用凹部開放部１１ｋよりケース固定用凹部１１ｌから外れ、カバー防水リブ１２ｍがケース防水リブ収納部１１ｄから外れた状態になる。
【００６２】
次に、第２段階として、図８（ｆ）に示すように、カバー回転軸用凸部１２ｏを軸としてカバー１２Ｃを正面方向に回転し、カバー固定用凸部１２ｐがケース固定用凹部１１ｊに嵌合してカバー１２Ｃがケース１１Ｃに固定される。
【００６３】
このように第４の実施形態に係る電子機器収納用筐体によれば、図７、図８に示すカバー開閉方式により、カバー防水リブ１２ｍの長さをカバー１２Ｃがスライドできる分だけ長くできるので、さらに防水性を高めることができる。また、回転によるカバー防水リブ１２ｍの長さ分の空間が必要ないため、奥行き方向のサイズを小さくすることができる。
【００６４】
（第５の実施形態）
図９（ａ）は第５の実施形態に係るカバー閉状態の電子機器収納用筐体を示す斜視図である。図９（ｂ）は第５の実施形態に係るカバー開状態の電子機器収納用筐体を示す斜視図である。図９（ｃ）は図９（ａ）に示す電子機器収納用筐体の断面図である。図９（ｄ）は図９（ｃ）に示すカバー防水用空間部付近の拡大図である。図９（ｅ）は図９（ｂ）に示す電子機器収納用筐体の断面図である。図１０（ｆ）はケースの斜視図である。図１０（ｇ）はカバーの斜視図である。図１０（ｈ）は図１０（ｇ）に示すカバー防水用空間部のＡ−Ａ間の断面図である。図１０（ｉ）は図１０（ｇ）に示すカバー防水用空間部のＢ−Ｂ間の断面図である。
【００６５】
電子機器収納用筐体は、ケース１１Ｄとカバー１２Ｄとからなる。ケース１１Ｄの両側面には、図１０（ｆ）に示すように、円筒形のケース回転軸用凹部１１ｍが形成され、ケース表壁面１１ａの内側には、図９（ｃ）、図１０（ｆ）に示すように、ケース防水用空間部１１ｎとケース防水リブ１１ｏが形成されている。
【００６６】
図１０（ｇ）に示すように、カバー１２Ｄの左右両側面には、ケース回転軸用凹部１１ｍを覆うカバー回転軸部１２ｑが形成されている。カバー回転軸部１２ｑの内側には、ケース回転軸用凹部１１ｍと嵌合する円筒形のカバー回転軸用凸部１２ｒが形成されている。図９（ｃ）、図１０（ｇ）に示すように、カバー表壁面１２ｂ内側には、ケース防水用空間部１１ｎと対向配置されたカバー防水用空間部１２ｓと、ケース防水リブ１１ｏと対向配置されたカバー防水リブ１２ｔが形成されている。カバー防水用空間部１２ｓは、カバー防水リブ１２ｔとカバー表壁面１２ｂとの間に設けられ、図１０（ｈ）に示す、底面の中央から左右両側面方向及び図１０（ｉ）に示す側面方向において、上方から下方に向けて傾斜している。また、カバー防水空間部１２ｓの下端において、カバー切り掛け部１２ｖが設けられている。
【００６７】
このように第５の実施形態に係る電子機器収納用筐体によれば、カバー防水用空間部１２ｓの傾斜により、図９（ｄ）に示すように、ケース表壁面１１ａとカバー表壁面１２ｂの間から浸水した水滴を下方に誘導し、カバー切り掛け部１２ｖより排水することができ、カバー内部のカバー防水用空間部１２ｓを広げることで防水性を高めることができる。
【００６８】
（第６の実施形態）
図１１（ａ）は第６の実施形態に係るカバー閉状態の電子機器収納用筐体を示す斜視図である。図１１（ｂ）は第６の実施形態に係るカバー開状態の電子機器収納用筐体を示す斜視図である。
【００６９】
第６の実施形態に係る電子機器収納用筐体は、図１に示す第１の実施形態に係る電子機器収納用筐体の構成に対する変形例であり、以下、図１に示す電子機器収納用筐体に対して相違する構成についてのみ説明する。
【００７０】
電子機器収納用筐体は、ケース１１Ｅとカバー１２Ｅとからなる。カバー１２Ｅの下端には突起状のカバー爪部１２ｗが形成され、ケース１１Ｅには、左右両側面が切り欠かれたケーススナップフィット固定部１１ｒが形成されている。ケーススナップフィット固定部１１ｒには、カバー爪部１２ｗと嵌合する角穴からなるケースカバー爪部嵌合部１１ｑが形成されている。
【００７１】
このように構成された第６の実施形態に係る電子機器収納用筐体によれば、図１１（ａ）に示すカバー１２Ｅが閉じた状態において、ケーススナップフィット固定部１１ｒを押すことで、カバー爪部１２ｗがケースカバー爪部嵌合部１１ｑから外れて、カバー１２Ｅを開くことができる。
【００７２】
従って、カバー取付ねじ３が不要となるので、コストを低減すことができる。また、カバー１２Ｅを開閉する時間を短縮できるため、施工性を向上することができる。
【００７３】
なお、第６の実施形態に係る電子機器収納用筐体では、図１に示す第１の実施形態に係る電子機器収納用筐体の構成に対して、カバー爪部１２ｗ、ケースカバー爪部嵌合部１１ｑが形成されたケーススナップフィット固定部１１ｒを設けたが、これに限定されることなく、第２の実施形態乃至第５の実施形態に係る電子機器収納用筐体の構成に対して、カバー爪部１２ｗ、ケースカバー爪部嵌合部１１ｑが形成されたケーススナップフィット固定部１１ｒを設けても良い。
【００７４】
（第７の実施形態）
図１２（ａ）は第７の実施形態に係るカバー閉状態の電子機器収納用筐体を示す斜視図である。図１２（ｂ）は第７の実施形態に係るカバー開状態の電子機器収納用筐体を示す斜視図である。
【００７５】
第７の実施形態に係る電子機器収納用筐体は、図７に示す第４の実施形態に係る電子機器収納用筐体の構成に対する変形例であり、以下、図７に示す電子機器収納用筐体に対して相違する構成についてのみ説明する。
【００７６】
電子機器収納用筐体は、ケース１１Ｆとカバー１２Ｆとからなる。カバー１２Ｆの下端にはカバー爪部１２ｗが形成され、ケース１１Ｆには、左右両側面が切り欠かれたケーススナップフィット固定部１１ｒが形成されており、ケーススナップフィット固定部１１ｒには、カバー爪部１２ｗと嵌合する角穴からなるケースカバー爪部嵌合部１１ｑが形成されている。
【００７７】
カバー１２Ｆの左右両側面には、レール状の凹部からなるカバーガイド部１２ｘが形成され、ケース１１Ｆには、カバーガイド部１２ｘがスライドするためのレール状の凸部からなるケースガイド保持部１１ｔが形成されている。カバー１２Ｆを閉じるとき、カバーガイド部１２ｘとケースガイド保持部１１ｔとが嵌合する。これにより、カバー１２Ｆがケース１１Ｆから外れないようにすることができる。
【００７８】
また、カバー取付ねじ３が不要となるので、コストを低減すことができる。また、カバー１２Ｅを開閉する時間を短縮できるため、施工性を向上することができる。
【００７９】
（第８の実施形態）
図１３（ａ）は第８の実施形態に係る電子機器収納用筐体を示す斜視図である。図１３（ｂ）は第８の実施形態に係る電子機器収納用筐体を示す背面図である。図１３（ｃ）は第８の実施形態に係る電子機器収納用筐体のケースを示す斜視図である。図１３（ｄ）は図１３（ａ）に示す電子機器収納用筐体のカバーを示す斜視図である。
【００８０】
図１３に示す第８の実施形態に係る電子機器収納用筐体は、図５に示す第３の実施形態に係る電子機器収納用筐体の構成に対する変形例であり、以下、図５に示す電子機器収納用筐体に対して相違する構成についてのみ説明する。
【００８１】
電子機器収納用筐体は、ケース１１Ｇとカバー１２Ｇとからなる。カバー防水リブ１２ｔは、カバー１２Ｇの上端から下端まで延長され、外側外壁のカバー回転軸部１２ｊと延長されたカバー防水リブ１２ｔとの間にカバー防水用空間部１２ｓが形成され、カバー１２Ｇの下端にカバー切り掛け部１２ｖが形成されている。
【００８２】
このように構成された第８の実施形態に係る電子機器収納用筐体によれば、カバー回転軸部１２ｊとケース１１Ｇの側面の間に浸入した水滴を、カバー防水用空間部１２ｓを通してカバー１２Ｇの下端のカバー切り掛け部１２ｖに導き、排水することができる。
【００８３】
（第８の実施形態）
図１４（ａ）は第８の実施形態に係る電子機器収納用筐体を示す斜視図である。図１４（ｂ）は第８の実施形態に係る電子機器収納用筐体を示す背面図である。図１４（ｃ）は第８の実施形態に係る電子機器収納用筐体のケースを示す斜視図である。図１４（ｄ）は図１４（ａ）に示す電子機器収納用筐体のカバーを示す斜視図である。
【００８４】
図１４に示す第８の実施形態に係る電子機器収納用筐体は、図７に示す第４の実施形態に係る電子機器収納用筐体の構成に対する変形例であり、以下、図７に示す電子機器収納用筐体に対して相違する構成についてのみ説明する。
【００８５】
電子機器収納用筐体は、ケース１１Ｈとカバー１２Ｈとからなる。カバー防水リブ１２ｔは、カバー１２Ｈの上端から下端まで延長され、外側外壁のカバー回転軸部１２ｊと延長されたカバー防水リブ１２ｔとの間にカバー防水用空間部１２ｓが形成され、カバー１２Ｇの下端にカバー切り掛け部１２ｖが形成されている。
【００８６】
このように構成された第８の実施形態に係る電子機器収納用筐体によれば、カバー回転軸部１２ｊとケース１１Ｈの側面の間に浸入した水滴を、カバー防水用空間部１２ｓを通してカバー１２Ｈの下端のカバー切り掛け部１２ｖに導き、排水することができる。
【００８７】
（第９の実施形態）
図１５（ａ）は第９の実施形態に係る電子機器収納用筐体を示す斜視図である。図１５（ｂ）は第９の実施形態に係る電子機器収納用筐体を示す背面図である。図１５（ｃ）は第９の実施形態に係る電子機器収納用筐体のケースを示す斜視図である。図１５（ｄ）は図１５（ａ）に示す電子機器収納用筐体のカバーを示す斜視図である。
【００８８】
図１５に示す第９の実施形態に係る電子機器収納用筐体は、図７に示す第４の実施形態に係る電子機器収納用筐体の構成に、図１２に示す第７の実施形態に係る電子機器収納用筐体の構成と図１４に示す第８の実施形態に係る電子機器収納用筐体の構成とを組み合わせたものである。
【００８９】
電子機器収納用筐体は、ケース１１Ｊとカバー１２Ｊとからなる。カバー１２Ｊの下端にカバー爪部１２ｗが形成され、ケース１１Ｊに、左右両側面が切り欠かれたケーススナップフィット固定部１１ｒが形成され、ケーススナップフィット固定部１１ｒにカバー爪部１２ｗと嵌合するケースカバー爪部嵌合部１１ｑが形成されている。
【００９０】
カバー防水リブ１２ｔは、カバー１２Ｊの上端から下端まで延長され、外側外壁のカバー回転軸部１２ｊと延長されたカバー防水リブ１２ｔとの間にカバー防水用空間部１２ｓが形成され、カバー１２Ｊの下端にカバー切り掛け部１２ｖが形成されている。
【００９１】
このように構成された第９の実施形態に係る電子機器収納用筐体によれば、カバー回転軸部１２ｊとケース１１Ｊの側面の間に浸入した水滴を、カバー防水用空間部１２ｓを通してカバー１２Ｊの下端のカバー切り掛け部１２ｖに導き、排水することができる。
【００９２】
なお、本発明は、上述した第１の実施形態乃至第９の実施形態に係る電子機器収納用筐体に限定されるものではない。本発明は、第１の実施形態乃至第９の実施形態に係る電子機器収納用筐体の２つ以上の実施形態に電子機器収納用筐体を組み合わせたものであっても良い。
【符号の説明】
【００９３】
１，１１Ａ〜１１Ｊ  ケース
１ａ  壁面取付部
１ｂ  ケース側基板取付部
１ｃ  端子台取付部
１ｄ  カバー取付ねじ固定部
２，１２，１２Ａ〜１２Ｊ  カバー
２ａ  防水リブ
２ｂ  穴部
２ｃ  配線通し部
３  カバー取付ねじ
４  端子台
４ａ  端子台引っ掛け部
４ｂ，４ｃ，４ｄ  穴部
４ｅ  端子台側基板取付部
５  回路部
５ａ  端子金具
５ｂ  端子ねじ
５ｃ  スイッチ部
５ｄ  点灯部
５ｅ  回路部上部
５ｆ  回路部下部
６  防水リブ収納部
７  配線
１１ａ  ケース表壁面
１１ｂ  ケース回転軸収納部
１１ｃ  ケース回転軸用凹部
１１ｄ  ケース防水リブ収納部
１１ｅ  ケース表壁面下端
１１ｆ  ケース固定用凸部
１１ｇ  ケース回転軸用凸部
１１ｈ  ケース固定用凹部
１１ｉ  ケース隙間壁
１１ｊ，１１ｍ  ケース回転軸用凹部
１１ｋ  ケース固定用凹部開放部
１１ｌ  ケース固定用凹部
１１ｎ  ケース防水用空間部
１１ｏ  ケース防水リブ
１１ｑ  ケースカバー爪部嵌合部
１１ｒ  ケーススナップフィット固定部
１１ｔ  ケースガイド保持部
１２ａ，１２ｍ，１２ｔ  カバー防水リブ
１２ｂ  カバー表壁面
１２ｃ  カバー回転軸
１２ｄ，１２ｏ，１２ｒ  カバー回転軸用凸部
１２ｅ，１２ｌ，１２ｐ  カバー固定用凸部
１２ｆ  カバー段差部
１２ｇ  カバー表壁面下端収納部
１２ｈ  カバー凹部
１２ｉ  カバー回転軸用穴部
１２ｊ，１２ｎ，１２ｑ  カバー回転軸部
１２ｋ  カバー隙間
１２ｓ  カバー防水用空間部
１２ｕ  カバー傾斜部
１２ｖ  カバー切り掛け部
１２ｗ  カバー爪部
１２ｘ  カバーガイド部
【図１】
2020102572.tif 000003
【図２】
2020102572.tif 000004
【図３】
2020102572.tif 000005
【図４】
2020102572.tif 000006
【図５】
2020102572.tif 000007
【図６】
2020102572.tif 000008
【図７】
2020102572.tif 000009
【図８】
2020102572.tif 000010
【図９】
2020102572.tif 000011
【図１０】
2020102572.tif 000012
【図１１】
2020102572.tif 000013
【図１２】
2020102572.tif 000014
【図１３】
2020102572.tif 000015
【図１４】
2020102572.tif 000016
【図１５】
2020102572.tif 000017
【図１６】
2020102572.tif 000018
【図１７】
2020102572.tif 000019
【図１８】
2020102572.tif 000020